(57)【要約】【課題】  文書管理システムにおいて、画像に対して文字認識等を行い取得したインデックスの訂正を容易に行ない、正確なインデックスデータとする。【解決手段】  本発明は、画像データ上の文字部に基づいて、インデックスデータを作成し、当該作成されたインデックスデータを、音声で順次読み上げることにより確認を行ない、前記チェック手段によるチェックに応じて、誤っていると判断されたインデックスデータの訂正処理を実行する。【選択図】  図１
2006190080.tif 000002
【特許請求の範囲】
【請求項１】
画像データ上の文字部に基づいて、インデックスデータを作成するインデックス作成手段と、
前記作成されたインデックスデータを、音声で順次読み上げることにより確認を行なうチェック手段と、
前記チェック手段によるチェックに応じて、誤っていると判断されたインデックスデータの訂正処理を実行する訂正手段と、
を有することを特徴とする文書管理システム。
【請求項２】
前記チェック手段では、前記作成されたインデックスデータに記号が含まれているかどうか判断することを特徴とする請求項１に記載の文書管理システム。
【請求項３】
前記訂正手段では、予め登録されている登録インデックスに基づいて、訂正処理を行うことを特徴とする請求項１に記載の文書管理システム。
【請求項４】
前記訂正手段で訂正されたインデックスのパターンを学習する学習手段を更に有することを特徴とする請求項１に記載の文書管理システム。
【請求項５】
前記チェック手段は、インデックスデータを読み上げる方法を指定する指定手段を含み、
前記指定手段により指定された方法に従って、インデックスデータを、順次読み上げていくことを特徴とする請求項１に記載の文書管理システム。
【請求項６】
前記インデックス作成手段は、前記画像データ上の文字部を文字認識処理することにより、前記インデックスデータを作成することを特徴とする請求項１に記載の文書管理システム。
【請求項７】
前記チェック手段は、インデックスデータを読み上げる音声にあわせて、当該インデックスデータの元の画像データを表示することを特徴とする請求項１に記載の文書管理システム。
【請求項８】
前記学習手段は、正しい文字列に対して、誤認識された複数のインデックスパターンを対応付けて学習することが可能であることを特徴とする請求項４に記載の文書管理システム。
【請求項９】
前記訂正手段は、前記作成されたインデックスデータの文字列を、登録されたインデックスのパターンから検索し、誤認識されたパターンとして登録されていれば、それに対応する正しい文字列をインデックスとして自動で置き換えることを特徴とする請求項１に記載の文書管理システム。
【請求項１０】
画像データ上の文字部に基づいて、インデックスデータを作成するインデックス作成ステップと、
前記作成されたインデックスデータを、音声で順次読み上げることにより確認を行なうチェックステップと、
前記チェックステップによるチェックに応じて、誤っていると判断されたインデックスデータの訂正処理を実行する訂正ステップと、
を有することを特徴とする文書管理方法。
【請求項１１】
画像データ上の文字部に基づいて、インデックスデータを作成するインデックス作成ステップと、
前記作成されたインデックスデータを、音声で順次読み上げることにより確認を行なうチェックステップと、
前記チェックステップによるチェックに応じて、誤っていると判断されたインデックスデータの訂正処理を実行する訂正ステップと、
の各ステップをコンピュータに実行させるためのプログラムコードを含むことを特徴とするコンピュータプログラム。
【請求項１２】
請求項１１に記載のコンピュータプログラムを格納した、コンピュータ読取可能な記憶媒体。
【発明の詳細な説明】
【技術分野】
【０００１】
本発明は、スキャナ等から取り込んだ文書画像データの文字部を文字認識処理によってテキストデータ化し、それを該文書画像データのインデックスデータとして登録する文書登録システムに関連する。
【背景技術】
【０００２】
従来、文書登録システムにおいて、画像から文字認識処理（ＯＣＲ処理）により文字情報を抽出してインデックスを作成するものが存在する（特許文献１）。
【特許文献１】特開平０９−０１６６１９号公報
【発明の開示】
【発明が解決しようとする課題】
【０００３】
しかしながら、ＯＣＲ処理がすべて成功するとは限らないので、正しいインデックスを登録するためには、ユーザーが画像データとインデックスをひとつひとつ見て確認し、誤認識されていた場合は、キーボード入力等により訂正を行なう必要がある。その際、インデックスと画像データが連携して表示されていないため、不便であった。
【課題を解決するための手段】
【０００４】
上記課題を解決するために、本発明の文書管理システムは、画像データ上の文字部に基づいて、インデックスデータを作成するインデックス作成手段と、前記作成されたインデックスデータを、音声で順次読み上げることにより確認を行なうチェック手段と、前記チェック手段によるチェックに応じて、誤っていると判断されたインデックスデータの訂正処理を実行する訂正手段と、を有することを特徴とする。
【発明の効果】
【０００５】
本発明によれば、ＯＣＲ処理により作成されたインデックスデータを順番に読み上げ、読み上げたインデックスデータに記号が含まれていた場合は、自動で訂正を行なうので、インデックスの確認、訂正作業の効率が上がる。また、読み上げるインデックスデータと同時にその画像データも順次更新して表示することで、更なる確認作業の効率向上・操作性向上が望める。更に、本発明では、ＯＣＲ処理が誤認識をする場合、記号や半角文字等を認識結果とすることがあることを鑑みてインデックス訂正処理を行なう。したがって、本発明によれば、より正確なインデックスデータを作成できる。
【発明を実施するための最良の形態】
【０００６】
（実施例１）
以下、図面を用いて本発明の実施例について説明する。
【０００７】
図１は、インデックスの確認処理フローを示す。ここでは、画像を取り込んだ際に作成されたインデックスの確認方法の流れを示す。
【０００８】
Ｓ１３６０では、図１４に示すインデキシング処理を行なう。
【０００９】
Ｓ１３６１では、インデックスの確認を終了するか否かで分岐し、終了しない場合はＳ１３６２へ移行し、確認を終了する場合は処理を終了する。Ｓ１３６２では、図３に示すインデックスの読み上げ方法の指定処理を行なう。
【００１０】
Ｓ１３６３では、画像取り込み時にＯＣＲ処理により作成された次のインデックスの情報を取得し、Ｓ１３６４で、そのインデックスの含まれる画像部分を表示し、Ｓ１３６５で、そのインデックスを音声合成することにより読み上げる。Ｓ１３６４〜Ｓ１３６５では、インデックスの読み上げと同時に対応する画像部分の表示が行なわれることになる。なお、画像表示する際にインデックスの表示も行なうようにしてもよい。
【００１１】
Ｓ１３６６では、Ｓ１３６５で読み上げたインデックスのチェックを行なう。ここでは、ユーザーが読み上げられたインデックスをチェックするとともに、該インデックス中に記号が含まれているかどうか装置により確認を行なう。誤認識が含まれていないと判断した場合は、そのままＳ１３６１へ移行し、誤認識が含まれていると判断した場合（ユーザーが誤認識であると指示した場合、もしくは記号が含まれていると判断した場合）は、Ｓ１３６８に移行し、図４に示す訂正処理を行なった後、Ｓ１３６１へ移行する。
【００１２】
図２は、インデックスの登録処理フローを示す。ここでは、作成されたインデックスが未登録であった場合の新規登録の流れを示す。
【００１３】
Ｓ１３７０では、インデキシング処理により得られた文字列と、データベースに記憶されている文字列との比較検索を行なう。
【００１４】
Ｓ１３７１では、Ｓ１３７０の結果により分岐し、一致する文字列がデータベースに存在した場合には、新規登録せずに処理を終了する。一致する文字列がデータベースに存在しなかった場合、Ｓ１３７２へ移行する。
【００１５】
Ｓ１３７２で、キーボード入力により、インデックスを正しい文字列に修正し、Ｓ１３７３で、再びデータベースを参照し、今回は修正された文字列と正しい文字列との比較検索を行なう。一致する文字列がデータベースにあればＳ１３７５へ移行し、なければＳ１３７６へ移行する。
【００１６】
Ｓ１３７５では、修正された登録済みの正しい文字列に対応する、新規の誤認識パターンとして、修正前のインデックス文字列をデータベースに登録する。
【００１７】
Ｓ１３７６では、新規の正しい文字列として修正された文字列をデータベースに登録し、それに対応する新規の誤認識パターンとして修正される前のインデックスデータ文字列をデータベースに登録する。
【００１８】
なお、Ｓ１３７５とＳ１３７６の新規登録方法については、図２３、２４にそれぞれイメージ図を示す。
【００１９】
図３は、インデックスの読み上げ方法指定処理フローを示す。ここでは、インデックスを読み上げる方法を指定する。
【００２０】
Ｓ１３８０では、まず、１つのインデックスを複数の文書に対して順に読み上げるか（インデックス順）、それとも、複数のインデックスを１つの文書に対して読み上げるか（文書順）、を選択する。
【００２１】
なお、図２５にこの処理のイメージを示す。この例で言うと、上図のインデックス順ではまず“あ”が読まれ、続いて“い”、“う”が読まれる。下図の文書順では、“い”、“お”、“く”の順に読まれる。
【００２２】
Ｓ１３８１では、読み上げる対象とするインデックスを１つ、または、複数指定する。
【００２３】
Ｓ１３８２では、読み上げる対象とする文書を１つ、または、複数指定する。
【００２４】
Ｓ１３８３で、確認をしてＯＫであれば、この処理を終了する。
【００２５】
図４は、インデックスの訂正処理フローを示す。ここでは、画像を取り込んだ際に作成されたインデックスが誤認識されていて、読み上げることが出来なかった際の訂正の流れを示す。
【００２６】
Ｓ１３９０では、読み上げることが出来ないインデックスをデータベースに登録された誤認識文字列と比較検索し、一致する文字列がなければＳ１３９２へ移行し、一致する文字列があれば、Ｓ１３９４へ移行する。
【００２７】
Ｓ１３９２では、正しいインデックスとしての文字列をキーボードより入力し、Ｓ１３９３で、図２に示すデータベースへのインデックスの新規登録処理を行なう。
【００２８】
Ｓ１３９４では、Ｓ１３９０での読み上げることが出来ないインデックス文字列に対応する、正しい文字列をデータベースから得て、それをインデックスとして自動で置き換える。Ｓ１３９５では、キーボード入力、または、置き換えられたインデックスを読み上げる。
【００２９】
Ｓ１３９６では、インデックスの訂正が正しく行なわれたかどうかの確認をし、Ｓ１３９７で、インデックスを保存する。
【００３０】
図５は、本提案による文書登録システムを導入したネットワークシステム構成図を示す。ここでは、ネットワーク上に次のリソースを配置されている。ユーザー端末（１００、１０１、１０２）、ファクス受信、スキャナ機能を有するデバイス（１１０）、本発明による文書登録システム（１２０）、ファイルサーバ（１３０）、文書管理システム（１４０）。
【００３１】
各ユーザーは、ファイルサーバ、文書管理システムを用いて、各種文書の共有を図っている。文書の種類としては、一般的な文書作成アプリケーションによって作成される文書、スキャナで読みこまれた文書、ファクス受信された文書等各種混在している。
【００３２】
ファイルサーバ１３０では、一時的に使用される文書を中心に管理され、文書管理システム１４０では、長期に渡り保存が必要な文書を中心に管理され、必要な時に所定の文書を検索できるようになっている。
【００３３】
ここで、文書登録システム１２０は、デバイスサイドで生成される文書（ファックス受信文書、スキャナ読取文書等）、ファイルサーバで管理された文書を、所定のルールで自動的に文書管理サーバに登録する機能、文書取得時、文書解析時に得られる情報をもとに、検索情報として有効な情報を属性情報、検索情報として文書管理システムに登録する機能等をもたせることで、文書管理業務を支援するシステムとなっている。
【００３４】
また、手動で、各種属性情報を付加して文書管理システムに文書を登録させる機能、すでに文書管理システムに登録された文書の属性情報等を再編集できる機能等を提供している。
【００３５】
図６は、文書登録システム１２０におけるシステムブロックを示した図である。
【００３６】
＜文書入力処理＞
まず、文書入力処理部について説明する。
【００３７】
１１０はファクス受信、スキャナ機能を有するデバイスであり、デバイス制御部２１０により文書データ等のハンドリングがなされる。
【００３８】
デバイス制御部２１０においては、デバイス側から文書データを吸い上げたり、デバイス側から送信される文書データを受け取ったりする処理がなされる。
【００３９】
１３０はファイルサーバ等における文書が格納されたフォルダであり、フォルダ制御部２１２により文書データ等のハンドリングがなされる。
【００４０】
フォルダ制御部２１２においては、所定のフォルダを例えば定期的に監視し、文書の取得処理等を行なっている。
【００４１】
２０１は本システムにおける操作部となっており、各種システムの設定、操作を行なえるようになっているが、さらに、文書データをインポートする形態で、２１４ファイル制御部において、入力処理させることができるようになっている。
【００４２】
２２０は入力制御部であり、前記各種形態に対応した文書入力処理制御部を、同等のインターフェースによって制御できるようになっている。
【００４３】
＜システム内部処理＞
次に、システム内に配置される各種処理部について説明する。
【００４４】
２２１は、ジョブ制御部であり、後述するジョブの処理を行なう。
【００４５】
２２２は、文書データ処理部であり、画像フォーマット変換処理等を行なう。
【００４６】
２２３は、インデクス処理部であり、後述するインデクス処理に関する制御を行なう。
【００４７】
２２４は、データ管理部であり、後述するテンプレート、ワークシート、ジョブ等に関するデータを２５０のデータエリアに保存、管理する。
【００４８】
２２５は、ＯＣＲ制御部であり、２５１に示す辞書データを用いて文字認識の精度を向上させている。
【００４９】
２２６は、フォーム解析部であり、２５２に示すフォームデータを管理、運用することで、各種フォーム、例えば帳票ファーマットの違い等を自動的に識別できるようになっている。
【００５０】
２４０は、メール処理部であり、主に、自動的に文書登録処理を行う際に、あらかじめ登録されたあて先にその結果を通知するために使用される。
【００５１】
＜文書管理システムアクセス＞
続いて、文書管理システムとのインターフェース部について説明する。
【００５２】
２２７は、文書管理システム制御部であり、文書管理システム１４０の種類に応じて提供されるアクセス制御部２３０を介して、文書、属性登録なり、すでに登録された文書属性なりの処理を行なう。
【００５３】
２５３では、文書管理システムにアクセスするにあたって必要なアクセスデータを管理し、２５４では、文書管理システムへ登録するデータを一時的に保存するデータエリアであり、文書登録時に、所定の画像変換等の文書データ処理が必要な場合、このエリアをバッファとして管理運用される。
【００５４】
図７は、本システムを運用する際の、基本操作フローを示す図である。
【００５５】
＜基本的処理＞
まず、手動で文書を取得と、インデックス（属性情報）入力を行ない、それらを文書管理システムに登録する基本的な流れを説明する。
【００５６】
Ｓ１００で、後述するテンプレートの作成、登録を行なう。このテンプレートにおいて、文書登録対象となる文書管理システムのアクセス情報、管理されるスキーマ情報が管理される。
【００５７】
Ｓ１０１で、作成されたテンプレートを元に、後述するワークシート作成、登録を行なう。このワークシートにおいて、実際に属性登録を行なうフィールド等を設定する。また、本システムにおいては、取得した文書の管理、文書に対して付加する属性情等は、このワークシートを管理テーブルとして一連の処理が実行、管理されるようになっている。
【００５８】
Ｓ１０２で、作成されたワークシートを表示させる。
【００５９】
Ｓ１０３で、文書入力が実行されると、Ｓ１０４で、ワークシート上にその情報が登録管理され、Ｓ１０５で、必要なインデクス（属性）情報の入力、管理を行なう。
【００６０】
Ｓ１０６で、更に文書入力を行なう必要がある場合は、Ｓ１０３に処理を遷移させ、所定の文書を取得したならば、Ｓ１０７で、一連の処理で取得、設定したデータを、文書管理システムへ登録処理する。
【００６１】
＜ワークシート選択による処理＞
すでに、ワークシートが登録されている場合、Ｓ１１０で、所定のワークシートを選択し、前述のＳ１０２の処理へ遷移する。
【００６２】
＜入力ボタンを用いた処理＞
すでに、入力起動ボタン設定がなされている場合は、Ｓ１２０で、その入力ボタンを押下することにより、Ｓ１２１で、設定された条件に応じた文書取得処理が行なわれ、Ｓ１２２で、各文書に応じて必要なインデックス入力をまとめで行なうことにより、Ｓ１２３で、一連の処理で取得、設定したデータを、文書管理システムへ登録処理する。
【００６３】
＜ジョブ実行処理＞
すでに、ジョブが登録されている場合は、Ｓ１３０で、登録されているジョブを選択し、Ｓ１３１で、所定のジョブを実行させることができるようになっている。
【００６４】
図８は、テンプレート作成処理フローを示す。
【００６５】
Ｓ２００で、まず運用する文書管理システムへ接続させる。Ｓ２０１で、文書を格納させるフォルダ等に設定されているスキーマ情報（検索用インデックスとして運用可能な情報）等を取得する。Ｓ２０２で、文書管理システムへの接続情報なり、スキーマ情報を一括管理するテンプレートとして、識別情報（テンプレート名）を付加して保存する。
【００６６】
図９は、ワークシート作成処理フローを示す。ここでは、先に作成されたテンプレートに対して、実際の運用を行なうためのワークシートの作成、登録を行なう。
【００６７】
Ｓ３００で、まず運用対象の文書管理システム情報が管理されたテンプレートを選択する。
【００６８】
Ｓ３０１で、テンプレートにて管理された元のスキーマ情報に対して、運用上必要のないものがあれば、そのフィールド選択等の編集を行なえるようになっている。
【００６９】
Ｓ３０２で、その編集作業を行なえるようになっているが、場合によっては、領域（フィールド）の拡張を指示できる。
【００７０】
Ｓ３０３で、所定の設定等を確認して内部的にワークシート作成処理を行ない、Ｓ３０４で、識別情報（ワークシート名）を付加して保存する。
【００７１】
図１０は、フォーム登録処理フローを示す。所定のフォームのタイプを解析するために、基準となるフォームデータをここで登録処理する。
【００７２】
Ｓ４００で、フォーム解析時の、基準となるイメージを取得する。
【００７３】
Ｓ４０１で、各種フォームを管理するフォーム管理シート上に、先に入手したイメージデータを登録させ、その管理下におく。
【００７４】
Ｓ４０２で、実際のフォーム解析処理をするフォーム解析部２２６にデータを渡し、所定の解析処理を行ない、必要なデータをフォームデータとして２５２で管理する。
【００７５】
Ｓ４０３で、新規追加されたフォームデータを識別情報（フォーム登録名）を付加して保存する。
【００７６】
図１１は、エリア登録処理フローを示す。ここでは、画像データ上に所定のエリアを指定し、その内部を文字認識なりバーコード認識なりさせる設定フローを示している。Ｓ５００では、まず基準となるフォームを選択する。
【００７７】
Ｓ５０１では、インデックス作成の際、ブロックセレクションにより得られるすべてのエリアを解析対象とするかを指定する。
【００７８】
Ｓ５０２では、ブロックセレクションによって得られたエリアに付加される番号の指定によって解析対象とするエリアを選択するかを指定し、Ｙｅｓの場合はＳ５０３でその番号を指定する。
【００７９】
Ｓ５０４は、Ｓ５０２でＮｏを選択したときの処理で、エリア指定を行なう。ここでは、文字領域ごとにＯＣＲ処理を行なうために、文字情報上に所定のエリアを指定する。
【００８０】
Ｓ５０５では、登録されたエリアを含むものが複数存在した場合、そのすべてのエリアを解析対象とするか、登録されたエリアを一番多く含むものだけを解析対象とするかを設定する。
【００８１】
Ｓ５０６では、そのエリアの解析モードを指定する。ここでの解析モードは、基本的には、より認識率を向上させるための詳細な条件を設定する。英文、和文の指定、バーコード認識等の解析エンジンの指定等も合わせてここで、エリア毎に指定可能になっている。
【００８２】
Ｓ５０７では、他のエリア指定が必要ならば、Ｓ５０１に遷移させる。Ｓ５０８では、ここで設定されたデータを、フォーム登録データに対する付加情報として登録させている。
【００８３】
図１２は、入力起動ボタン設定処理フローを示す。入力起動ボタンは、各種データソースからの入力処理を、ボタン押下により一括処理させるためのものであり、ここでは、その動作設定処理について示している。
【００８４】
Ｓ６００では、まずワークシートを選択する。Ｓ６０１では、入力ソースを選択する。
【００８５】
Ｓ６０２は、スキャナ入力の場合である。このときは、Ｓ６０３で、スキャナに対する各種読取モードを設定する。
【００８６】
Ｓ６０４は、フォルダ入力の場合である。このときは、Ｓ６０５で、フォルダに対するアクセス権設定なり、フォルダに対するアクセス条件（ポーリング間隔等）の設定をする。
【００８７】
Ｓ６１０では、設定された条件を登録する。設定条件に応じて、ボタン名等を変えることにより、複数のボタンを使い分けて運用することができるようになっている。
【００８８】
図１３は、入力起動ボタン処理フローを示す。ここでは、設定された入力起動ボタンを押下時の、処理フローについて示している。
【００８９】
Ｓ７００では、まず設定モードを確認する。Ｓ７１０は、スキャナ設定された場合の処理であり、Ｓ７１１で所定の条件に従ったスキャンを行ない、Ｓ７１２でワークシートへの文書保存までを行っている。
【００９０】
Ｓ７２０は、フォルダ入力設定された場合の処理であり、Ｓ７３１で所定の条件に従ったフォルダの内容のチェックを行ない、その結果、Ｓ７２３で文書の存在が確認された場合は、Ｓ７２３で文書取得を行ない、Ｓ７２４でワークシートへ文書保存する。
【００９１】
Ｓ７２５は、定期的にフォルダ入力の確認を行なう設定時の処理であり、中止が指示された場合は、処理を中断し、そうでなければ、再度Ｓ７２１に遷移し、定期的に指定フォルダの内容を確認処理する。
【００９２】
図１４は、インデクシング処理フローを示す。ここでは、インデクス処理全般に渡る処理フローについて示している。
【００９３】
Ｓ８００では、自動処理か否かで処理を分岐している。自動処理の場合は、Ｓ８１５へ処理を遷移させ、そうでない場合は、順次ワークシート、フォームの選択をする。
【００９４】
Ｓ８０１では、まずワークシートの選択を行なう。Ｓ８０２では、そのまま手動でインデックス情報を入力する場合、Ｓ８０３で手動でのインデックス入力をし、Ｓ８０４でまだ処理すべき文書があればＳ８００に戻り、なければ処理を終了する。
【００９５】
Ｓ８１０では、自動フォーム検出機能を利用するか否かで処理が分岐され、Ｓ８１１でフォーム検出処理を行った結果、所定のフォームが検出された場合はＳ８１２からＳ８２０に処理を遷移させ、自動フォーム検出機能を利用しない場合、フォーム検出できなかった場合は、Ｓ８１３において、手動で所定のフォームを選択する。
【００９６】
Ｓ８２０では、まず当該文書の解析対象エリアの有無を確認する。
【００９７】
Ｓ８２１では、当該文書におけるすべての設定されたエリアの処理が終了していれば、Ｓ８０４に遷移し、次文書の処理に移行する。
【００９８】
Ｓ８２２では、エリア登録での設定に従って３通りの方法のいずれかで自動でエリア選択する。その方法とは、全エリア選択の設定の場合、ブロックセレクションにより得られるすべてのエリアを選択する。また、エリア番号は指定されている場合は、ブロックセレクションによって割り振られる番号が登録された番号と一致するエリアのみを選択する。また、エリア登録でエリア指定がされている場合は、画像データ上でのブロックセレクションにより得られた各エリアに対し、その登録されたエリアと比較検索し、未処理のエリアを選択する。
【００９９】
Ｓ８２３では、所定の設定に準拠したエリア解析をする。
【０１００】
Ｓ８２４では、その結果により処理が分岐する。異常終了した場合は、Ｓ８２５で、まず自動処理モードかを判断して、自動処理モードでなければＳ８２６で手動入力させ、自動処理モードの場合は、暫定処理を行なう。Ｓ８２７での暫定処理としてはＮＧマークをつけたり、デフォルトとして規定した値を設定したりすることができるようになっている。
【０１０１】
Ｓ８３０では、エリア処理した結果を一旦保存し、Ｓ８２０へ処理を遷移させることで、一連の処理を継続処理させるようになっている。
【０１０２】
Ｓ８１５は、自動インデクス処理の前処理である。ワークシート自体はあらかじめ設定されていることを前提としているが、フォーム自体もあらかじめ設定されている場合は、そのままＳ８１６でＯＫとなり、Ｓ８２０に処理が遷移される。フォームを自動選択させる設定になっている場合は、この前処理においてフォーム検出処理をする。所定のフォームが検出された場合は、Ｓ８１６でＯＫとなり、Ｓ８２０に処理が遷移されるが、検出されなかった場合は、Ｓ８１７の後処理に遷移し、処理ができなかった文書として、ワークシート上に当該文書が管理されて、次文書の処理として、Ｓ８０４に処理が遷移される。
【０１０３】
図１５は、リリース（データ登録）処理フローを示す。ここでは、文書情報等を、文書管理システムへのデータ登録処理について示している。
【０１０４】
Ｓ９００では、自動リリースか否かで処理を分岐している。Ｓ９０１は、自動リリースの場合の処理であり、まず所定の設定情報を取得し、Ｓ９０２で所定の文書管理システムの格納フォルダへ接続処理を行ない、Ｓ９２０に処理を遷移させる。
【０１０５】
Ｓ９１０は、自動リリースでない場合の処理であり、まずワークシート上に管理されている文書から、登録対象の文書の選択、登録後の文書の扱い（削除するか否か、等）を設定できるようになっている。
【０１０６】
Ｓ９１１では、設定された文書管理システムへログイン処理し、文書を格納するフォルダを指定する。
【０１０７】
Ｓ９１２では、文書登録時のオプション設定ができるようになっており、文書登録処理に関する実行ログをとる指定をしたり、文書登録時の文書フォーマットの変換設定をしたりできるようになっている。
【０１０８】
Ｓ９２０は、文書管理システムへ登録する文書情報等を一旦内部の出力用データエリア２５４に保存する処理であり、Ｓ９３０は、フォーマット変換、もしくは、イメージデータのＯＣＲ解析結果を付加する処理等が指示された場合の処理であり、設定条件に従って、Ｓ９３１で所定の画像処理等を行なう。
【０１０９】
Ｓ９４０で、準備された文書データ等を、所定の文書管理システムのフォルダへ登録処理を行ない、Ｓ９５０において、文書登録後の文書削除指示がなされていた場合、Ｓ９５１においてその処理を行ない、全体の処理を終了する。
【０１１０】
図１６は、ジョブ作成処理フローを示す。ここでは、各種処理を一括処理するためのジョブの設定を行なう手順を示している。
【０１１１】
Ｓ１０００は、自動文書取得ジョブ設定の場合であり、Ｓ１００１において、使用するワークシートの設定、ならびにスキャナなり、フォルダからの文書取得のために必要な設定を行なう。
【０１１２】
Ｓ１０１０は、自動インデクスジョブ設定の場合であり、Ｓ１０１１において、ワークシート、フォーム等、インデクス処理を自動的に処理するに必要な項目を設定する。
【０１１３】
Ｓ１０２０は、自動リリース（文書登録）ジョブ設定の場合であり、Ｓ１０２１において、処理の対象となるワークシート、文書登録先（フォルダ）、文書の扱い等、自動リリース処理するに必要な情報を設定する。
【０１１４】
Ｓ１０３０では、前記設定情報を、識別情報（ジョブ名）を付加して保存する。なお、ジョブとしては、前記各種ジョブを複数組み合わせた形態で定義、実行できるようになっている。
【０１１５】
図１７は、ジョブ実行処理フローを示す。ここでは、作成されたジョブの実行のあり方を示している。
【０１１６】
Ｓ１１００では、まずジョブを選択する。
【０１１７】
Ｓ１１０１では、そのジョブを起動する。
【０１１８】
Ｓ１１００は、自動文書取得ジョブが設定されている場合の処理であり、Ｓ１１１１で設定に従った文書取得処理を行い、Ｓ１１１２で、読み取った文書をワークシート上に管理、保存する。
【０１１９】
Ｓ１１２０は、インデックスジョブが設定されている場合の処理であり、Ｓ１１２１において、設定された条件に従って自動インデクス処理をする。
【０１２０】
Ｓ１１３０は、自動リリース（文書登録）ジョブが設定されている場合の処理であり、Ｓ１１３１において設定された条件に従って自動リリース処理をする。
【０１２１】
文書取得から、文書登録までをジョブに設定することで、一連の処理を一括処理させることが可能になっている。
【０１２２】
図１８は、拡張されたデバイス制御部のブロック図を示す。本システムにおいては、デバイス側から文書を取得する方式として、各種形態に柔軟に対応できるようになっている。
【０１２３】
デバイス制御部Ａ（２１０）は、デバイス側にアクセスして、文書を取得する形態に対応させている。この制御部を用いて、同等のアクセス方式に対応した複数デバイス（１１０，１１１）から文書データを取得できるようになっている。
【０１２４】
デバイス制御部Ｂ（２１１）は、デバイス側からのアクセスにより、文書を取得する形態に対応させている。この場合も、同等のアクセス方式に対応した、任意のデバイス（１１２，１１３）から、文書を取得できるようになっている。
【０１２５】
また、この形態の場合、独自にデータフォルダ３００を設けて、複数のデバイスからの同時の文書転送処理に対応している。更には、このデータフォルダを、階層を有するフォルダとして構成することを可能として、デバイス側からフォルダパスを指定しての文書転送処理も可能としている。
【０１２６】
なお、この場合のアクセスプロトコルとして、汎用的なファイル転送プロトコルを採用することにより、デバイス側の対応を容易にし、一般のコンピュータからも文書転送させることも可能になる。
【０１２７】
更には、それぞれの場合において、独自の手順により、文書データ以外にも、当該文書データに関連した付加（属性）情報（例えば、各文書のオーナー情報、ファクス受信文書なら送信元情報等）を取得し、そのデータをシステム内で運用できる手段も用意している。
【０１２８】
なお、独自の手順によらずとも取得可能な接続デバイスに関する情報も、複数のデバイスを入力デバイスとするとき、文書に対する付加情報として利用できるようになっている。
【０１２９】
入力制御部２２０においては、各デバイス制御部から取得された文書データ等のデータを、統一的にハンドリングできるようになっている。
【０１３０】
図１９は、拡張された文書管理システム制御部のブロック図を示す。本システムにおいては、市場に存在する各種文書管理システムに対して、デバイス等から取得される文書データ、ならびにその付加情報を登録できるようなシステムを柔軟に構成できるようになっている。
【０１３１】
ここでは、文書管理システムＡ（１４０）に対しては、アクセス制御部Ａ（２３０）、文書管理システムＢ（１４１）に対しては、アクセス制御部Ｂ（２３１）を提供し、それぞれの文書管理システムに対応した例を示している。
【０１３２】
文書管理システムの種類によって、そのアクセス手段なり、扱える文書のファイル形式が異なっているのが一般的である。
【０１３３】
ここでは、各文書管理システムをアクセス、運用するにあたって必要な情報を、２５３において管理データとして管理し、システム内データとして運用されるようになっている。
【０１３４】
図２０は、リリース処理部詳細フローを示す。ここでは、文書管理システムへの文書データ等の登録（リリース）処理に関して補足する。
【０１３５】
Ｓ１２００は、リリース処理を開始するにあたっての初期設定処理であり、終了通知の要否の確認、終了通知先の情報取得処理等を行なう。
【０１３６】
Ｓ１２１０は、データ登録すべきデータの有無の確認処理であり、無ければＳ１２２０へ処理を遷移する。
【０１３７】
Ｓ１２１１は、文書管理システムへのデータ登録処理であり、Ｓ１２１２では、その結果に応じて、ＯＫならばＳ１２１０へ、ＮＧならばＳ１２１３へ処理を遷移させる。
【０１３８】
Ｓ１２１３は、文書管理システムへのデータ登録がエラーした場合の処理であり、ここでは登録エラー文書として所定のワークシート上に文書等のデータを再登録し、追って手動による再登録処理ができるようになっている。
【０１３９】
Ｓ１２２０では、終了通知の要否を判断し、必要なければ処理を終了する。
【０１４０】
Ｓ１２２１では、データ登録処理の結果を確認し、エラーがなければあらかじめ登録された登録通知者あて先へ、メールにて新規に文書登録された旨通知処理を行ない、エラーが発生した場合は、あらかじめ登録されたエラー通知者あて先へ、エラー情報を通知処理されるようになっている。
【０１４１】
図２１は、自動文書処理フローを示す。ここでは、デバイス等から送られてくる文書データを、自動的に文書登録までの処理をさせるフローに関して説明する。
【０１４２】
Ｓ１３００では、後述する自動文書処理フローを実行するにあたって、事前に必要となる各種設定をし、この自動文書処理ルーチンの起動を行なう。
【０１４３】
ここで行なう設定項目には、文書入力処理に関する設定、フォーム登録処理用に運用されるフォルダ、運用される属性の設定、ならびに各属性に対応した処理を行なうためのワークシートの設定、自動インデクスを行なうために運用されるフォームの設定等がある。
【０１４４】
なお、運用される属性の例としては、以下のものがある。デバイスの種類、フォルダパス（ファイルサーバ１３０、デバイス制御部用データフォルダ３００）、文書のオーナー情報、ＦＡＸ受信文書における送信元情報、所定のエリア解析結果、など。
【０１４５】
Ｓ１３０１では、文書入力の確認を行なっている。ここでは、デバイスからデバイス制御部経由で入力される文書データ、デバイス等からフォルダ制御部経由で入力される文書データを統一的に扱えるようになっている。
【０１４６】
Ｓ１３０２では、入力が確認された文書が、どのルートで入ってきたかをまず確認し、Ｓ１３１０で、フォーム登録用フォルダからの文書と確認されれば、Ｓ１３１１で、自動的にフォーム登録用処理部を起動し、フォーム登録処理ができるようになっている。
【０１４７】
Ｓ１３２０では、各種属性情報の解析をし、得られた属性情報に対応した処理が定義されているか否かを確認する。
【０１４８】
属性情報としては、入力制御部２２０の処理で、すでに得られる情報と、この段階で自動インデクス処理に相当する処理を呼んで、フォーム解析してターゲットとする所定のエリアから得られる情報がある。
【０１４９】
Ｓ１３２１では、もし対応する処理が検出されなかった場合に、Ｓ１３２３で当該文書一時保存処理し、追って手動で処理できるようになっている。
【０１５０】
この後は、Ｓ１３２４で、自動リリース処理に必要な情報を設定し、Ｓ１３３０で、必要に応じて自動インデクス処理を行い、Ｓ１３４０で、自動リリース処理を行ない、Ｓ１３５０で、自動文書処理の終了要求がなされていれば処理を終了させ、そうでなければ、Ｓ１３０１に戻り、処理を継続する。
【０１５１】
図２２は、本提案によるインデックス自動訂正のイメージ図を示す。ここでは、図２３に示すＳ１３８３での処理の説明で、画像を取り込む際にＯＣＲ処理によって作成された誤認識されたインデックスが、インデックスデータベースにすでに登録されていたことを前提とする。
【０１５２】
仮に、画像を取り込む際にＯＣＲ処理によって作成されたインデックスが“あい＊＊お”であったとすると、インデックスデータベースに登録された誤認識パターンの中から“あい＊＊お”と一致する文字列を検索し、発見できたならばそれに対応する正しい文字列“あいうえお”を自動的に正しいインデックスとする。
【０１５３】
図２３は、本提案による誤認識文字列の新規登録イメージ図を示す。ここでは、図２２に示すＳ１３７５での処理の説明で、画像を取り込む際にＯＣＲ処理により作成されたインデックスをデータベースの誤認識文字列から検索したが、見つからなかったので、自動訂正は行なわれずにキーボード入力によりインデックスの訂正が行なわれたということが前提である。
【０１５４】
これは、キーボード入力により得られた文字列をデータベースの正しい文字列から検索した結果、すでに登録されていた場合で、その登録されていた正しい文字列に対する、誤認識文字列の新しいパターンとして新規登録する。
【０１５５】
図２４は、本提案による正しい文字列と誤認識文字列の新規登録イメージ図を示す。ここでは、図２２に示すＳ１３７６での処理の説明で、ＯＣＲ処理により作成されたインデックスをデータベースの誤認識文字列から検索したが、見つからなかったので、自動訂正は行なわれずにキーボード入力によりインデックスの訂正が行なわれたということが前提である。
【０１５６】
これは、キーボード入力により得られた文字列をデータベースの正しい文字列から検索した結果、まだ登録されていなかった場合で、キーボード入力による訂正後の文字列を正しい文字列として、ＯＣＲ処理によって作成された訂正前の文字列をそれに対する誤認識文字列のパターンとして、それぞれ新規登録する。
【０１５７】
本発明によれば、ＯＣＲ処理により作成されたインデックスデータを順番に読み上げ、読み上げたインデックスデータに記号が含まれていた場合は、自動で訂正を行なうので、インデックスの確認、訂正作業の効率が上がる。また、読み上げるインデックスデータと同時にその画像データも順次更新して表示することで、更なる確認作業の効率向上・操作性向上が望める。更に、本発明では、ＯＣＲ処理が誤認識をする場合、記号や半角文字等を認識結果とすることがあることを鑑みてインデックス訂正処理を行なう。したがって、本発明によれば、より正確なインデックスデータを作成できる。
【０１５８】
（その他の実施例）
なお、上述したような本発明は、例えば、システム、装置、方法、プログラムもしくは記憶媒体等としての実施態様をとることが可能であり、具体的には、複数の機器から構成されるシステムに適用しても良いし、また、一つの機器からなる装置に適用しても良い。
【０１５９】
尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【０１６０】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【０１６１】
その場合、プログラムの機能を有していれば、オブジェクトコード、インタプリタにより実行されるプログラム、ＯＳに供給するスクリプトデータ等の形態であっても良い。
【０１６２】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１６３】
その他、プログラムの供給方法としては、コンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザーに対してダウンロードさせるサーバも、本発明に含まれるものである。
【０１６４】
また、本発明のプログラムを暗号化してＣＤ−ＲＯＭ等の記憶媒体に格納してユーザーに配布し、所定の条件をクリアしたユーザーに対し、インターネットを介してホームページから暗号化を解く鍵情報をダウンロードさせ、その鍵情報を使用することにより暗号化されたプログラムを実行してコンピュータにインストールさせて実現することも可能である。
【０１６５】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【０１６６】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【図面の簡単な説明】
【０１６７】
【図１】インデックスの確認処理フロー図
【図２】インデックスの登録処理フロー図
【図３】インデックスの読み上げ方法指定処理フロー図
【図４】インデックスの訂正処理フロー図
【図５】システム構成図
【図６】システムブロック図
【図７】基本操作フロー図
【図８】テンプレート作成処理フロー図
【図９】ワークシート作成処理フロー図
【図１０】フォーム登録処理フロー図
【図１１】エリア登録処理フロー図
【図１２】入力起動ボタン設定処理フロー図
【図１３】入力起動ボタン処理フロー図
【図１４】インデキシング処理フロー図
【図１５】リリース処理フロー図
【図１６】ジョブ作成処理フロー図
【図１７】ジョブ実行処理フロー図
【図１８】拡張されたデバイス制御部のブロック図
【図１９】拡張された文書管理システム制御部のブロック図
【図２０】リリース処理部詳細フロー図
【図２１】自動文書処理フロー図
【図２２】インデックスの自動訂正イメージ図
【図２３】誤認識文字列の新規登録イメージ図
【図２４】正しい文字列と誤認識文字列の新規登録イメージ図
【図２５】読み上げる基準の指定のイメージ図
【図１】
2006190080.tif 000003
【図２】
2006190080.tif 000004
【図３】
2006190080.tif 000005
【図４】
2006190080.tif 000006
【図５】
2006190080.tif 000007
【図６】
2006190080.tif 000008
【図７】
2006190080.tif 000009
【図８】
2006190080.tif 000010
【図９】
2006190080.tif 000011
【図１０】
2006190080.tif 000012
【図１１】
2006190080.tif 000013
【図１２】
2006190080.tif 000014
【図１３】
2006190080.tif 000015
【図１４】
2006190080.tif 000016
【図１５】
2006190080.tif 000017
【図１６】
2006190080.tif 000018
【図１７】
2006190080.tif 000019
【図１８】
2006190080.tif 000020
【図１９】
2006190080.tif 000021
【図２０】
2006190080.tif 000022
【図２１】
2006190080.tif 000023
【図２２】
2006190080.tif 000024
【図２３】
2006190080.tif 000025
【図２４】
2006190080.tif 000026
【図２５】
2006190080.tif 000027